(57)【要約】【課題】  複数の受信ポイントを扱うためには、ＤＳＣＨ上で、貴重な無線資源を用いて、複数の送信を行われなければ成らない。従って、無線ポイント・ツー・マルチポイントサービスを提供するに際し、柔軟性を加えることが望まれる。【解決手段】  サービスデータは無線通信システムにおいて送信される。システム（８０）のセルの中のユーザグループの受信のために、インジケータが同期して送信される。ユーザグループは、セルのすべてのユーザを含まない。ユーザグループのそれぞれは、サービスインジケータを受信する。ユーザグループのそれぞれは、下りリンク共有チャネル（８２）上を送信されるサービスＩＤをモニタする。サービスデータはサービスＩＤ（８４）とともに下りリンク共有チャネルを通じて送信される。グループユーザのそれぞれは、サービスＩＤを検知して、下りリンク共有チャネル（８６）のサービスデータを受信する。【選択図】        図６
2006067611.tif 000002
【特許請求の範囲】
【請求項１】
無線通信システムにおいてサービスデータを転送する方法であって、
前記システム内のセルのユーザグループによる受信のためのサービス送信インジケータを同時に送信することであって、前記ユーザグループは前記セルのすべてのユーザを含まないことと、
前記ユーザグループの各々により、前記サービス送信インジケータを受信することと、
前記ユーザグループの各々により、下りリンク共有チャネル上を送信されているサービスＩＤをモニタすることと、
前記サービスＩＤとともに前記サービスデータを前記下りリンク共有チャネル上を送信することと、
前記ユーザグループの各々により前記サービスＩＤを検出して、前記下りリンク共有チャネルの前記サービスデータを受信することとを備えたことを特徴とする方法。
【請求項２】
前記サービスデータは複数のユーザグループに送られ、各々のグループは異なるグループＩＤを送信され、すべての第２のグループＩＤが前記下りリンク共有チャネルにおいて送られ、前記複数のユーザグループのすべてのユーザが前記サービスデータを受信することを特徴とする請求項１に記載の方法。
【請求項３】
前記ユーザグループの各々は、固有の下りリンク共有チャネルを有し、前記サービス送信インジケータが前記固有の下りリンク共有チャネル上を送られることを特徴とする請求項１に記載の方法。
【請求項４】
前記ユーザグループの各々は、固有の上りリンク制御チャネルを有していることを特徴とする請求項３に記載の方法。
【請求項５】
ノード−Ｂであって、
共有チャネルの複数のユーザからのチャネル情報を受信するユーザフィードバック受信機と、
前記共有チャネルのデータを生成する下りリンク共有チャネル発生器と、
受信された前記チャネル情報を使用して前記共有チャネルの各々のビームのための電力レベルを決定する電力制御装置と、
受信された前記チャネル情報を使用して前記共有チャネルのビームを決定するビーム偏向制御装置と、
決定された前記電力レベルによって、前記ビームの上を、同時に前記共有チャネルを送信するアンテナアレイとを備えることを特徴とするノード−Ｂ。
【請求項６】
前記チャネル情報は、前記複数のユーザの各々からのパスロス評価値を含むことを特徴とする請求項５に記載のノード−Ｂ。
【請求項７】
前記チャネル情報は、前記複数のユーザの各々からのアウターループパワーコマンドを含むことを特徴とする請求項５に記載のノード−Ｂ。
【請求項８】
前記チャネル情報は、前記複数のユーザの各々からのインナーループパワーコマンドを含むことを特徴とする請求項５に記載のノード−Ｂ。
【請求項９】
前記チャネル情報は、前記複数のユーザの各々からの位置を含むことを特徴とする請求項５に記載のノード−Ｂ。
【請求項１０】
各々のビームの前記電力レベルを、前記チャネル品質情報に基づいて、最悪のチャネル品質を有するユーザに対する受信電力レベルに設定することを特徴とする請求項５に記載のノード−Ｂ。
【発明の詳細な説明】
【技術分野】
【０００１】
本発明は、一般的に無線通信システムに関する。特に、無線通信システムのポイント・ツー・マルチポイント・サービスに関する。
【背景技術】
【０００２】
無線通信システムにおいては、ポイント・ツー・マルチポイント・システムを利用したいという要求が高まっている。図１に示したポイント・ツー・マルチポイント（ＰｔＭ）においては、一つのサービスは、一つのポイント例えば基地局１０から、複数のポイント例えばユーザ装置１２１−１２３に送られる。ポイント・ツー・マルチポイントシステムの例としては、マルチメディア放送やマルチキャストサービスがある。
【０００３】
３ＧＰＰ（第３世代パートナーシップ・プログラム）で提案されているシステムにおいては、上記のサービスに使用できるチャネルは、フォアードアクセスチャネル（ＦＡＣＨ）である。ＦＡＣＨは、下りリンクの共通伝送チャネル（ＴｒＣＨ）であり、すべてのユーザによって受信される。ＦＡＣＨ  ＴｒＣＨは、第２共通制御物理チャネル（Ｓ−ＣＣＰＣＨ）に適用されるブロードキャストである。Ｓ−ＣＣＰＣＨはすべてのセルのユーザに送信される。
【０００４】
Ｓ−ＣＣＰＣＨで使用される無線資源を制限するために、Ｓ−ＣＣＰＣＨのデータレートが制限されている。例えば、高いデータレートのサービスがＳ−ＣＣＰＣＨ上で送信されるならば、高いデータレートを実現するために、データの冗長性を低くして送信しなければならない。Ｓ−ＣＣＰＣＨはセル全体に送信されるので、セルの周辺領域にあるユーザによってある一定のサービス品質（ＱＯＳ）で受信できるのに必要な電力レベルで送信される。この電力レベルにおいて、高いデータレートのブロードキャストを行うことは、他のユーザへの干渉を増大させ、システムの容量を減少させる。このことは、セル資源の不十分な利用につながるため、非常に好ましいことではない。
【０００５】
さらに、Ｓ−ＣＣＰＣＨとＦＡＣＨのブロードキャストの性質により、Ｓ−ＣＣＰＣＨとＦＡＣＨに要求される無線資源は、かなりスタティックである。すなわち、チャネル割り当てと、レイヤー３シグナリング技術により比較的低いレートでこれらのチャネル上で提供されているメッセージングのためによる。変調と符号セット（ＭＣＳ）とＳ−ＣＣＰＣＨに使用される送信電力レベルは、セルの周辺領域においてある一定のＱＯＳを維持するために、十分である必要がある。Ｓ−ＣＣＰＣＨ構成のスタティックな性質は、無線資源を有効に活用するために、これらのパラメータのダイナミックな調整を許さない。さらに、この低いレートにおいては、送信のスケジューリングが発生する。これは、無線資源の有効活用を妨げ、各々のユーザに対するデータストリームの十分な多重化を許さない。
【０００６】
ポイント・ツー・ポイント（ＰｔＰ）サービスに使用できるほかのチャネルは、下りリンク共有チャネル（ＤＳＣＨ）である。ＤＳＣＨは複数のユーザに共有される。異なるユーザ（ユーザ装置）へのＤＳＣＨ上の送信は、時間で分割されている。結果として、ＤＳＣＨｓは時分割共有のチャネルである。
【０００７】
ＤＳＣＨを使用する各々のユーザは、上りリンクと下りリンクの専用制御チャネルを持っている。これらの制御チャネルは、ＤＳＣＨのより有効な無線資源活用を可能とする。これらの制御チャネルは、各々のユーザのＤＳＣＨｓ上を送信する送信出力の制御を可能とする。また、よりユーザの送信を分離するためにビームを形成することを可能とする。電力制御とビーム形成をＤＳＣＨで使用することは、ＦＡＣＨチャネルによって得られるよりも、より効率的な無線資源の利用を可能とする。
【０００８】
ＤＳＣＨ上で情報を受信するためには、ユーザはまず専用下りリンク制御チャネルをモニタしなければならない。下りリンク制御チャネルのバーストは伝送フォーマット結合インジケータ（ＴＦＣＩ）の第１の部分と第２の部分を持っている。第１の部分は、下りリンク専用チャネルの伝送フォーマットを示している。第２の部分は、それに続くＤＳＣＨ送信の存在とその伝送フォーマットを示す。もし、ユーザへの一つのＤＳＣＨ送信が行われるならば、下りリンク制御チャネルは、ＴＦＣＩセットの第２の部分を持っている。送信は、次の送信時間間隔（ＴＴＩ）で発生する。すなわち、ある規定された時間の後に発生する。ユーザはその後、送信のためＤＳＣＨをモニタする。ユーザがそのＤＳＣＨ送信の正しい受信者であることを確かめるため、ユーザはその送信をユーザ表示器で確認をする。もし、送信がされる予定がなければ、ＴＦＣＩの第２の部分は下りリンクの専用制御チャネル上には示されない。
【発明の開示】
【発明が解決しようとする課題】
【０００９】
ＤＳＣＨはより効率的な無線資源の利用を可能とするけれども、ポイント・ツー・ポイントサービスだけを取り扱うことが出来る。複数の受信ポイントを扱うためには、ＤＳＣＨ上で、貴重な無線資源を用いて、複数の送信を行われなければ成らない。
【００１０】
従って、無線ポイント・ツー・マルチポイントサービスを提供するに際し、柔軟性を加えることが望まれている。
【課題を解決するための手段】
【００１１】
サービスデータは無線通信システムにおいて送信される。システムのセルの中のユーザグループの受信のために、インジケータが同期して送信される。ユーザグループは、セルのすべてのユーザを含まない。各ユーザグループは、サービスインジケータを受信する。各ユーザグループは、下りリンク共有チャネル上を送信されるサービスＩＤをモニタする。サービスデータは、そのサービスＩＤとともに下りリンク共有チャネルを通じて送信される。各グループユーザは、サービスＩＤを検知して、下りリンク共有チャネルのサービスデータを受信する。
【発明を実施するための最良の形態】
【００１２】
好ましい実施形態は、３ＧＰＰ提案システムと関連付けて説明しているが、ポイント・ツー・マルチポイント送信を使用した他の無線システムにも適用が可能である。
【００１３】
図２は、好ましい共有チャネル１６と関連する下りリンク及び上りリンク専用制御チャネル１４１から１４Ｎを示した図である。この好ましい実施例においては、下りリンク及び上りリンク専用制御チャネルを使用しているが、これらのチャネル上を送られる情報は、他の実施例においては、他の手段によって、例えば、共通物理制御チャネルまたはレイヤー２／３信号によっても送ることが出来る。ユーザグループＵＥ１１２１・・・ＵＥＪ１２Ｊ・・・ＵＥＮ１２Ｎは、共有サービス１６を受けることが出来る。それぞれのユーザの下りリンク専用制御チャネル１４１−１４Ｎは、共有チャネルを確立し、他の制御目的のために使用される。共有チャネル１６は、基地局１０により送信され、ユーザグループＵＥ１１２１・・・ＵＥＮ１２Ｎにより受信される。ＵＥＸ１２Ｘのようなユーザ装置（ＵＥ）は、専用制御チャネル１４Ｘの中で、共有チャネル割り当て表示を受信せず、共有チャネル１６のデータを受信しない。
【００１４】
図３は、共有チャネルを通じて伝送データを使用する、ＲＣＮ２０／ＮＯＤＥ−Ｂ１８とユーザ装置群の中の一つのユーザ装置ＵＥＪ１２Ｊの単純化した図を示す。ＲＣＮ２０／ＮＯＤＥ−Ｂ１８において、各々の下りリンク専用制御チャネル（ＤＣＣＨ）発生器２４１−２４Ｎは、ユーザ装置１２１−１２Ｎそれぞれの制御チャネル信号を生成する。マルチポイント同期装置２５は、ユーザＤＤＣＣ上で共通したポイント・ツー・マルチポイントサービスに加入しているユーザグループの、ＤＳＣＨ割り当てを同期させるために使用される。ＵＥＪ１２Ｊについていえば、無線インタフェース２２を介してアンテナ３２またはアンテナアレイから専用制御チャネルが放射された後、ＵＥＪ１２Ｊのアンテナ３４またはアンテナアレイにより受信される。そして、制御チャネルの制御情報を再生するため制御チャネル受信機３６によって処理される。
【００１５】
下りリンク共有チャネル（ＤＳＣＨ）発生器２６は、無線インタフェース２２を介した伝送のための共有チャネル信号を生成する。共有チャネル信号は、ＵＥＪ１２Ｊのアンテナ３４またはアンテナアレイを使って受信される。共有チャネルの情報は、下りリンク共有チャネル（ＤＳＣＨ）受信機３８によって、専用制御チャネル情報を使用して再生される。共有チャネル測定装置４０は、下りリンク専用制御チャネル及び／または共有チャネルのチャネル品質測定／情報を行い、取り出す。例えば、受信信号符号電力、相対干渉、そしてブロックエラーレートなどである。測定／情報は、ＲＣＮ２０／ＮＯＤＥ−Ｂ１８に送られる。典型的には、このチャネル品質測定／情報は送信パワーコマンド（ＴＰＣ）、ビーム形成に用いられる位相シフト及び振幅情報、そして受信電力と干渉の測定値である。
【００１６】
測定受信機３０は、ＲＣＮ２０／ＮＯＤＥ−Ｂ１８において、共有チャネルのすべてのユーザのチャネル測定を再生する。電力制御装置２８は共有チャネルの電力レベルを設定するためにチャネル測定／情報を使用する。さらに、送信ダイバーシティ装置２９は、共有チャネルのビーム形成をするために、位相シフトと振幅情報を利用する。好ましくは、電力レベルとビーム形成は送信時間間隔（ＴＴＩ）毎に更新されるが、より長い時間間隔で行われることもある。
【００１７】
専用制御チャネルは、常に維持される。受信ＢＬＥＲを使用して、信号対干渉比ＳＩＲの目標値を決定する。受信ＳＩＲの評価値に基づいて、ＴＰＣコマンドが生成される。ＤＳＣＨが起動されると、所要電力が専用制御チャネルから引き出される。しかし、典型的には正確に同じものではない。なぜならば、ＢＬＥＲ要求条件と物理的構成は異なるからである。ＰｔＭ送信のためには、送信電力レベルは最悪の受信品質のユーザに対する所要ＱＯＳを達成するように設定される。この送信における物理的制限によって、ＱＯＳ要求条件を達成できないＰｔＭユーザグループの中のユーザを除外することも可能である。
【００１８】
複数のデータサブストリームを有するサービスに対しては、様々なサブストリームの送信特性を分けて取り扱うことが出来る。例えば、マルチメディアサービスは、音声とヴィデオとテキストのサブストリームを持っている。それぞれのサブストリームのＱＯＳは、それぞれのサブストリームにより使用される異なった送信属性を許容しながら、異なっていてよい。このアプローチは、より良い資源効率を可能とする。最も高いサブストリームのＱＯＳ要求を満たすように送信する代わりに、各々のＤＳＣＨ送信上で、分けて取り扱うことができる。
【００１９】
図４は、好ましい無線ネットワークコントローラ（ＲＮＣ）４２の単純化したブロック図である。好ましいＲＮＣ４２はスケジューリング機構４６を持っている。このスケジューリング機構４６は、より長いスケジューリング時間が使用される場合もあるが、好ましくは、ＴＴＩ毎に使用される。スケジューリング機構４６は、共有チャネル資源上を、送信されるデータを受信する。受信データはＰｔＰのデータとＰｔＭのデータを含んでいる。スケジューリング機構４６は、ＰｔＰとＰｔＭ送信において、送信データをスケジューリングする。情報をスケジューリングするために、スケジューリング機構４６は、そのセルと各チャネルの総合電力要求条件及びビームステアリング情報を含む物理的伝播要求条件も考慮すると同時に、データの待ち時間とスループットを含んだ、各々の送信に要求されるＱＯＳをも考慮する。各々のＴＴＩに対して、スケジューリング機構４６は、データ送信をスケジュールする判断において、セル資源を最大限に利用する。例えば、特定のＴＴＩにおいては、セル電力全体の要求条件にほとんど達してしまう。もし、ＰｔＭサービスを遅延させることが出来るならば、そのＰｔＭサービス送信を、総合電力要求条件が下がるまで、１ＴＴＩまたは２ＴＴＩだけ遅らせることが出来る。もし、このＴＴＩ柔軟性によるＴＴＩが利用できなければ、ある資源決定がなされると、所定の時間、例えば１００ｍｓまたは１秒の間は変更することが出来ない。このような状況では、資源が割りあてられ、その時間の間は変更がされない。結果として、送信できたはずのある送信は、アイドル状態の割り当てられた資源にすることができない。ＲＮＣ４２は、ユーザ装置１２１−１２ＮにチャネルとＰｔＰ及びＰｔＭ送信のタイミングを信号で知らせる。ＴＴＩベースのスケジューリング機構は、ＤＳＣＨセル資源の高い使用率を維持しながら、ＱＯＳとデータ待ち時間の要求を達成する大きな能力を提供する。セル物理チャネルとＰｔＰ／ＰｔＭデータ送信要求条件はダイナミックに変動し、この変動にすばやく反応できるスケジューリング機構４６は、セルの物理的資源を最大限に利用しながら、ＱＯＳ要求条件をも実現する能力を提供する。
【００２０】
スケジューリング機構４６は、物理的要求条件も考慮することが出来る。例えば、あるユーザあるいはユーザグループは他よりは、より強いＭＳＣを要求するかもしれない。次のＴＴＩの間は、資源は強固でないＭＳＣしか利用可能でないかもしれない。スケジューラ４６は、利用可能な資源を最大限に使用するよう、ＰｔＰユーザあるいはＰｔＭユーザグループに対して、送信をスケジュールすることが出来る。特定のＱＯＳの送信データと利用可能な物理資源とチャネル品質測定がＴＴＩベースで変化するので、このインターバル（ＴＴＩ）内でスケジューリングができる能力は、満足したユーザを増加させ、全体的な利用率と物理資源の効率利用を改善する。
【００２１】
好ましい各ＴＴＩのためのスケジューリングは、サービス間の資源の衝突を減少させ、待機状態の無線資源の発生を減少させる。さらに、細かなＴＴＩスケジューリングは、ＰｔＭ送信をＰｔＰ送信に変更したり、逆にＰｔＰ送信からＰｔＭ送信へ同様にすばやく変更したりすることを可能とする。例えば、マルチメディアサービスが、ＰｔＭ送信で複数のユーザに送られている。ある特定のＴＴＩについては、たった一人のユーザが送信を要求し、スケジューリング機構４６は、そのＴＴＩのサービス送信を、ＰｔＰとしてスケジュールする。次のＴＴＩでは、複数のユーザがサービス送信を要求し、ＰｔＭ送信がスケジュールされる。好ましいスケジューリング機構４６を使用することにより、ＰｔＭおよびＰｔＰサービスは分割され、複数の不連続なＴＴＩに渡って、再組み立てされる。このスケジューリング機構４６は、さらに無線資源割り当ての柔軟性を増加させ、より良い無線資源の効率を実現する。
【００２２】
図５Ａ、図５Ｂ、図５Ｃ、図５Ｄ、図５Ｅは、ＰｔＭサービスに対する共有チャネルの可能な割り当て図である。あるＰｔＭユーザグループの各々のユーザのための専用制御チャネル１４１−１４Ｎにおいては、図５Ａに示したように、サービスを受信しているユーザ１からユーザＮは送信される情報を制御する。図５Ｂに示した３ＧＰＰのＦＤＤシステムのように、ユーザＴＴＩのスタートをずらすために使用される、チップオフセット「ＤＯＦ」がある。図５Ａと図５Ｂに示したように、ＰｔＭサービスユーザグループの中の各々のユーザに対しては、サービス送信インジケータ５０が専用制御チャネルと供に送られる。サービス送信インジケータ５０は、サービスデータがこれから共有チャネル１６上で送られることを示す。好ましいサービス送信インジケータ５０は、他のインジケータ例えばビットあるいはワードを使用することも出来るが、専用下りリンク制御チャネルバーストにおけるＴＦＣＩの第二の部分の存在である。ある設定時間の後、サービスデータが共有チャネル上を送信される。送信サービスデータは、好ましくはそのサービスに関連したＩＤ５２を有している。このサービスＩＤ（ＳＩＤ）５２は、正しい受信者のグループが、その送信を受信していることを確認するために使用される。
【００２３】
図５Ｃは、複数のＰｔＭサービスの割り当てを例示している。ユーザ１とユーザ２はグループＡに属しており、あるＰｔＭサービスを受信している。ユーザ２とユーザ３はグループＢに属しており、別のＰｔＭサービスを受信している。ある特定のユーザは、複数のＰｔＭとＰｔＰサービスを受信することが出来る。図５Ｃに示したように、ユーザ２は、両方のＰｔＭサービスを受信している。各々のユーザのＤＤＣＣ１４１から１４３においては、サービスインジケータ５０１と５０２が、対応するサービス送信がＤＳＣＨ上を送信されていることを示すために送られる。複数のサービスは、同一のＤＳＣＨ上あるいは、複数のＤＳＣＨ１６１，１６２上において送られることが出来る。各々のサービス送信は、サービスＩＤ５２１５２２を有している。図５Ｄにおいては、ＳＴＩ５０１，５０２とＤＤＣＣが時間上でずらされている。しかし、異なる共有チャネル（ＤＳＣＨ）１６１，１６２上においては、送信は同時に起こりえる。
【００２４】
図５Ｅは、異なるシグナリングのアプローチを例示しており、複数のユーザグループ１からユーザグループＮが、一つのサービスを受信することができる。各々のユーザは、ＤＤＣＣ１４１１から１４ＧＮを有しており、ＰｔＭ送信を示す一つのＳＴＩを受信する。ＵＥ（ユーザ装置）グループ１からＵＥ（ユーザ装置）グループＮまでが、そのサービスを受信することが出来る。共有チャネルにおいて送信されるデータは、受信グループの各々に対しグループＩＤ（ＧＩＤ）５４１から５４Ｇを含んでいる。
【００２５】
図６は、ＤＳＣＨ上における、ポイント・ツー・マルチポイントサービスの確立と送信のための好ましい信号を説明する図である。ＵＭＴＳ陸上無線アクセスネットワーク（ＵＴＲＡＮ）７０は、サービスを受信する各々のユーザ、すなわちユーザ装置１２に、送信の転送属性の信号を送る（７４）。ポイント・ツー・マルチポイントサービスのために送られるデータは、コアネットワークからＵＴＲＡＮ７０により受信される。ＰｔＭサービスの各々のユーザは、同時にはそのサービスを受信するようには起動／構成はされていないかもしれない。そのサービスが継続しているときであっても、あるいはユーザが特定のＰｔＭサービスエリアに入る時に登録するときであっても、いつでも、ユーザはサービスのために登録をすることができる。各々のユーザは、その送信の受信をするために自らを構成し、（７２）、ＤＳＣＨ割り当てのために、専用制御チャネルをモニタする、（８２）。
【００２６】
各々のユーザは、上りリンクと下りリンクの専用制御チャネルを維持し、受信干渉、受信電力、パスロス計算値、位置情報などのチャネル情報を、ＵＴＲＡＮ７０へ送る、（７６）。受信干渉とパスロスはＴＰＣの使用によっても示すことができ、位置情報は位相シフト表示によっても送られることができる。各々のＰｔＭユーザグループ内のすべてのユーザに対するチャネル情報を使用することにより、ＵＴＲＡＮ７０は、送信電力レベルやビーム形成の要求条件などのＤＳＣＨ送信の割り当てに関する基準を確立することが出来る、（７８）。例えば、もしビーム形成が使用されない場合には、ＵＴＲＡＮ７０は、典型的には、最大のパスロスを持つような最悪受信品質条件で受信するユーザが受信できるようなレベルに、送信電力レベルを設定する。もし、ビーム形成が使用される場合は、各々のビームの電力レベルは、そのビームの中において最悪の品質を有するユーザを基礎として、決められる。ビーム形成に対しては、位置情報がユーザの位置に基づいてユーザをグループ化するのに使用される。そして、そのグループにサービスをするのに必要なビームの数、サイズ、形状を確立することが出来る。無線資源の利用を最適化するために、好ましくは送信間隔時間（ＴＴＩ）毎に、各々のユーザの上りリンク専用制御チャネル毎に、これらのパラメータが更新されるのが望ましい。しかし、レイヤー３シグナリング手順によって等価な情報をやり取りして、より長い時間間隔で更新をするのでも良い。
【００２７】
ＵＴＲＡＮ７０は、各々のユーザの専用制御チャネル上で、ユーザグループに対して同期しながらサービスインジケータを送る、（８０）。そのグループ内の各々ユーザは、ＰｔＭ送信を受信できるように自身を構成する、（８２）。
【００２８】
共有チャネル送信の表示は、通常、必ずしも完全な誤り耐性はないので、好ましくは、ＤＳＣＨの中で識別子が送られる。しかし、他の実施例においては、ＤＳＣＨ識別子は使用しなくても良い。ＰｔＰサービスに対しては、特定のユーザ識別子が、ＤＳＣＨ送信によって信号で送られる。より好ましい実施例では、ＰｔＭユーザグループ内のすべてのユーザに共通のＰｔＭサービス識別子が、ＤＳＣＨによって信号で送られる、（８４）。各々のユーザは、ＰｔＰユーザ固有の識別子またはＰｔＭサービス識別子が、サービス送信と伴に送られたことを確認する。受信したサービスデータは、ＵＥ１２１−１２Ｎにおいて、共通トラフィックチャネルに転送される、（８６）。
【００２９】
図７は、ノード−Ｂ１８と、ＤＳＣＨのために適応電力制御とビーム偏向（ｂｅａｍ  ｓｔｅｅｒｉｎｇ）を利用しているユーザ装置１２Ｊとを、単純化して示した図である。ユーザ装置１２Ｊは、アンテナ７２を使用して無線通信インタフェース６４を通して、ＤＳＣＨを受信する。ＤＳＣＨデータは、ユーザＤＳＣＨ受信機６６によって再生される。ユーザフィードバック送信機６８は、ＴＰＣおよび／または位相シフト情報などのチャネル情報を、ノード−Ｂ１８に送り返す。ノード−Ｂ１８は、ユーザフィードバック受信機６２を使用して、各々のＰｔＭユーザグループに関連したすべてのユーザからのチャネル情報を再生する。
【００３０】
各々のＰｔＭユーザグループのためにＤＳＣＨ上で送られるデータは、ＤＳＣＨ発生器５６によって生成される。電力制御装置５８は、受信フィードバック情報を使用してＤＳＣＨの電力レベルまたは各々のＤＳＣＨビームを確立する。ＤＳＣＨのビームは、ビームス偏向制御装置６０により決定され、これにより、ノード−Ｂのアンテナアレイのアンテナ７０１−７０Ｎに対して、適切な振幅と重み付けの値を提供する。
【図面の簡単な説明】
【００３１】
【図１】ポイント・ツー・マルチポイントサービスを示す図である。
【図２】好ましい共有チャネルを示す図である。
【図３】好ましい無線ネットワークコントローラ／ノード−Ｂとユーザ装置の単純化した図である。
【図４】共有チャネルに対して、スケジューリング機構を備えた、好適な無線ネットワークコントローラの単純化した図である。
【図５Ａ】共有チャネルに対する好適な信号のスケジューリングを示す図である。
【図５Ｂ】共有チャネルに対する好適な信号のスケジューリングを示す図である。
【図５Ｃ】共有チャネルに対する好適な信号のスケジューリングを示す図である。
【図５Ｄ】共有チャネルに対する好適な信号のスケジューリングを示す図である。
【図５Ｅ】共有チャネルに対する好適な信号のスケジューリングを示す図である。
【図６】下りリンク共有チャネルのポイント・ツー・マルチポイントサービスの確立および送信に好適な信号を示す図である。
【図７】共有チャネルに対して送信電力制御とビームシテアリングを使用する好適なノード−Ｂとユーザ装置を示す図である。
【図１】
2006067611.tif 000003
【図２】
2006067611.tif 000004
【図３】
2006067611.tif 000005
【図４】
2006067611.tif 000006
【図５Ａ】
2006067611.tif 000007
【図５Ｂ】
2006067611.tif 000008
【図５Ｃ】
2006067611.tif 000009
【図５Ｄ】
2006067611.tif 000010
【図５Ｅ】
2006067611.tif 000011
【図６】
2006067611.tif 000012
【図７】
2006067611.tif 000013